(57)【要約】【課題】遮蔽装置にハードウエアスイッチを取付けなくて済み、駆動用コントローラの通信用識別番号を容易に設定又は設定変更し、これらに要する工数を低減する。【解決手段】複数の駆動用コントローラ１３が複数の遮蔽装置１２の日射遮蔽体１１の駆動装置を個別に制御し、単一のメインコントローラが複数の駆動用コントローラを介して複数の駆動装置を統括して制御する。単一の設定取込み装置１８が各遮蔽装置に関する情報を設定し取込み、メモリが駆動装置を制御するための情報を記憶する。設定取込み装置が設定し取込む情報は、遮蔽装置の配置により異なるソフトウエア上の通信用識別番号と、遮蔽装置にそれぞれ固有のソフトウエア上のシリアル番号とを含む。設定取込み装置は、上記通信用識別番号及びシリアル番号を関連付け、これらの通信用識別番号リスト１９を作成してメモリに記憶する。【選択図】図１
2014214419.tif 000002
【特許請求の範囲】
【請求項１】
日射遮蔽体(11)が駆動装置により駆動されるように構成された複数の遮蔽装置(12)と、前記各駆動装置に接続され前記各駆動装置をそれぞれ個別に制御する複数の駆動用コントローラ(13)と、前記複数の駆動用コントローラ(13)を介して前記複数の駆動装置を統括して制御する１又は２以上のメインコントローラ(14)とを備えた電動日射遮蔽装置の制御システムにおいて、
前記複数の駆動用コントローラ(13)に順次接続され各駆動用コントローラ(13)に対応する各遮蔽装置(12)に関する情報を設定し取込む単一の設定取込み装置(18)と、
前記メインコントローラ(14)に設けられ前記複数の駆動用コントローラ(13)を介して前記駆動装置を制御するための情報が記憶されたメモリ(14a)と
を更に備え、
前記単一の設定取込み装置(18)が設定し取込む情報が、前記複数の駆動用コントローラ(13)にそれぞれ設定され前記複数の遮蔽装置(12)の配置により異なるソフトウエア上の通信用識別番号と、前記複数の駆動用コントローラ(13)から取込まれ前記複数の遮蔽装置(12)にそれぞれ固有のソフトウエア上のシリアル番号とを含み、
前記単一の設定取込み装置(18)が、前記各駆動用コントローラ(13)に通信用識別番号を設定しかつ前記各駆動用コントローラ(13)からシリアル番号を取込み、これらの通信用識別番号及びシリアル番号を関連付けるとともに、これらの関連付けられた通信用識別番号及びシリアル番号の通信用識別番号リスト(19)を作成し、この通信用識別番号リスト(19)を前記メインコントローラ(14)を介して前記メモリ(14a)に記憶するように構成された
ことを特徴とする電動日射遮蔽装置の制御システム。
【請求項２】
前記複数の遮蔽装置(12)に新たに遮蔽装置(12)が増設されるとき、前記設定取込み装置(18)が、前記メモリ(14a)に記憶された増設前の通信用識別番号リスト(19)を取込み、前記増設された遮蔽装置(12)の駆動用コントローラ(13)に通信用識別番号を設定しかつこの駆動用コントローラ(13)からシリアル番号を取込むとともに、前記通信用識別番号及び前記シリアル番号を関連付けて前記通信用識別番号リスト(19)に追加し、この通信用識別番号リスト(19)を更新して前記メモリ(14a)に記憶し、更に前記メインコントローラ(14)が、前記更新された通信用識別番号リスト(19)に基づいて各駆動用コントローラ(13)の通信用識別番号を設定変更するように構成された請求項１記載の電動日射遮蔽装置の制御システム。
【請求項３】
前記複数の遮蔽装置(12)のうちのいずれかが撤去されるとき、前記設定取込み装置(18)が、前記メモリ(14a)に記憶された増設前の通信用識別番号リスト(19)を取込み、前記撤去された遮蔽装置(12)の駆動用コントローラ(13)に付与されていた通信用識別番号及びシリアル番号を前記通信用識別番号リスト(19)から削除し、この通信用識別番号リスト(19)を更新して前記メモリ(14a)に記憶し、更に前記メインコントローラ(14)が、前記更新された通信用識別番号リスト(19)に基づいて各駆動用コントローラ(13)の通信用識別番号を設定変更するように構成された請求項１記載の電動日射遮蔽装置の制御システム。
【請求項４】
前記設定取込み装置(18)が前記複数の駆動用コントローラ(13)及び前記メインコントローラ(14)に個別に通信ケーブルで接続される請求項１ないし３いずれか１項に記載の電動日射遮蔽装置の制御システム。
【請求項５】
前記設定取込み装置(18)が前記複数の駆動用コントローラ(13)及び前記メインコントローラに無線送受信器(51)により接続される請求項１ないし３いずれか１項に記載の電動日射遮蔽装置の制御システム。
【請求項６】
前記設定取込み装置(18)がパソコン、スマートフォン又はタブレットのいずれかである請求項１ないし５いずれか１項に記載の電動日射遮蔽装置の制御システム。
【発明の詳細な説明】
【技術分野】
【０００１】
本発明は、電動ブラインド、電動ロールスクリーン等の電動日射遮蔽装置のスラットの傾斜角度やスクリーン本体の昇降を自動的に制御するシステムに関するものである。
【背景技術】
【０００２】
従来、多数のブラインド装置が複数のゾーンに割り当てられ、各ゾーンが複数のグループに分割され、各グループに複数のブラインド装置が含まれ、各ブラインド装置がゾーン毎に互いに接続されかつ相互に通信が可能に構成され、各ゾーンに含まれるブラインド装置のうち任意の１台にゾーンコントローラが設置され、更にゾーンコントローラに接続されるブラインド装置がそれぞれメインコントローラに接続される可動閉鎖装置が開示されている（例えば、特許文献１参照。）。この可動閉鎖装置では、各ブラインド装置が自己の識別情報を有し、例えばその識別情報の中に上記ゾーンに対応するゾーン番号、グループに対応するグループ番号、グループ内の個々の装置を識別する個別番号等が含まれる。またメインコントローラは上記識別情報に基づいて任意のブラインド装置の動作を制御し、ゾーンコントローラは各ゾーンに含まれる任意のブラインド装置を制御する。更にシングルコントローラは直接接続されたブラインド装置のみを制御するように構成される。
【０００３】
具体的には、ブラインド装置は、マイクロコンピュータ部、駆動部、電動機、回転検出部、設定部、Ｉ／Ｆ（インターフェイス）部、第１送受信部、第２送受信部及び電源部を含む。マイクロコンピュータ部は、電動機の動作の制御及び各コントローラ等からの通信の制御を行い、駆動指令を駆動部へ出力する。駆動部は駆動指令に応じて電動機を回転させ、電動機は回転することによりブラインド部を開閉させる。回転検出部は電動機の回転角度を検出してマイクロコンピュータ部へ出力する。マイクロコンピュータ部は回転角度に基づいて電動機が所定の動作を行うように再び駆動部へ駆動指令を出力する。上記のようなフィードバックループを構成することにより、マイクロコンピュータ部は電動機の回転を最適に制御し、ブラインド部の開閉動作を行う。
【０００４】
一方、設定部はマイクロコンピュータ部に接続される。設定部は、ディップスイッチ等から構成され、このディップスイッチを所定の状態に設定することにより、各種設定を行うことができる。例えば、上述の識別情報として各ブラインド装置が属するゾーン番号、グループ番号、個別番号及び同時動作時の最大動作台数等が設定される。これらの情報をマイクロコンピュータ部が読込んで各動作が実行される。また設定部はディップスイッチ等で構成されるため、増設等の設備の変更に合せて容易に各設定値を変更できる。更にＩ／Ｆ部はマイクロコンピュータ部に接続される。このＩ／Ｆ部はゾーンコントローラ、シングルコントローラ等の各種コントローラが接続され、各種コントローラからの操作指令等がマイクロコンピュータ部へ入力される。
【０００５】
一方、第１及び第２送受信部はマイクロコンピュータ部に接続される。第１送受信部は上流側（親機であるブラインド装置に近い側）のブラインド装置又はメインコントローラに接続され、上流側からの各種指令信号を受信するとともに、上流側へ各種指令信号を送信する。また第２送受信部は下流側（親機のブラインド装置から遠い側）のブラインド装置に接続され、下流側からの各種指令信号を受信するとともに、下流側へ各種指令信号を送信する。更に第１及び第２送受信部は互いに接続され、各種指令信号をマイクロコンピュータ部へ送受信するだけでなく、マイクロコンピュータ部を介さず、直接送受信できるように構成される。
【０００６】
次にブラインド装置の同時動作台数を制限した場合の動作を説明する。ブラインド装置の同時動作台数の設定は設定部のディップスイッチを設定することにより行い、ここでは５台に設定したものとする。また動作指令はシングルコントローラにより行う。シングルコントローラよりブラインド装置へ動作指令が入力される。ブラインド装置のマイクロコンピュータ部は動作指令を受信すると、マイクロコンピュータ部内部に設けられた動作台数カウンタに１をセットし、同時動作開始信号を上流及び下流側のブラインド装置へ出力する。同時動作開始信号を受信した各ブラインド装置は自己の動作台数カウンタを１だけ増加させる。一方、動作中であるブラインド装置は自己の動作が終了した場合、自己の動作台数カウンタを１だけ減少させ、同時動作終了信号を上流及び下流のブラインド装置へ出力する。同時動作終了信号を受信した各ブラインド装置は自己の動作台数カウンタを１だけ減少させる。上記の処理により、各ブラインド装置は、現在の動作台数を検出することができ、動作カウンタの値が５になっていなければ、シングルコントローラ等の動作指令に応じて動作し、５になっていれば動作を保留する。この結果、可動閉鎖装置が同時に動作するブラインド装置の台数を制限できる。
【０００７】
このようにブラインド装置を１台ずつ順次動作させることが可能となり、全数一斉動作のように大きな騒音を発生させることなく、動作時の騒音を低減できる。また同時動作台数を設定したり、駆動電源等の具備の状態を変えることにより、同時動作台数を制限するので、動作時の消費電力を低減したり、既存の電源設備を用いたまま、ブラインド装置の増設等の設備変更を容易に行うことができ、設備変更による費用も低減できるようになっている。
【先行技術文献】
【特許文献】
【０００８】
【特許文献１】特開平０６−２７２４６３号公報（段落［００１６］、［００１７］、［００１９］〜［００２３］、［００４４］、［００４５］、［００７１］、図１、図２）
【発明の概要】
【発明が解決しようとする課題】
【０００９】
しかし、上記従来の特許文献１に示された可動閉鎖装置では、各ブラインド装置が属するゾーン番号、グループ番号、個別番号等を設定する設定部が、各ブラインド装置に取付けられたディップスイッチを含むハードウエアスイッチにより構成されるため、複数のブラインド装置を導入するとき、各ブラインド装置に取付けられたハードウエアスイッチをブラインド装置毎に設定しなければならず、ハードウエアスイッチの設定に多くの工数を要する課題があった。また、上記従来の特許文献１に示された可動閉鎖装置では、複数のブラインド装置を導入した後であって、レイアウトを変更するために１又は２以上のブラインド装置を増設するとき、この増設されたブラインド装置のハードウエアスイッチを設定するだけでなく、他のブラインド装置のハードウエアスイッチを設定変更するために、ブラインド増設場所と関係のない場所に立ち入らねばならない課題や、ハードウエアスイッチの設定変更に多大の工数を要する課題があった。更に、上記従来の特許文献１に示された可動閉鎖装置では、複数のブラインド装置を導入した後であって、レイアウトを変更するために１又は２以上のブラインド装置を撤去するとき、このブラインド装置の撤去により、他のブラインド装置のハードウエアスイッチを設定変更する必要があり、これらのハードウエアスイッチを設定変更するために、ブラインド撤去場所と関係のない場所に立ち入らねばならない課題や、ハードウエアスイッチの設定変更に多大の工数を要する課題があった。
【００１０】
本発明の目的は、各遮蔽装置にハードウエアスイッチを取付けなくて済み、これにより複数の遮蔽装置の駆動装置をそれぞれ個別に制御する複数の駆動用コントローラの通信用の識別番号を容易に設定又は設定変更でき、遮蔽装置の増設場所や撤去場所以外に立ち入る必要をなくし、これらの設定又は設定変更に要する工数を低減できる、電動日射遮蔽装置の制御システムを提供することにある。
【課題を解決するための手段】
【００１１】
本発明の第１の観点は、図１〜図３に示すように、日射遮蔽体１１が駆動装置１２により駆動されるように構成された複数の遮蔽装置１２と、各駆動装置に接続され各駆動装置をそれぞれ個別に制御する複数の駆動用コントローラ１３と、複数の駆動用コントローラ１３を介して複数の駆動装置を統括して制御する１又は２以上のメインコントローラ１４とを備えた電動日射遮蔽装置の制御システムにおいて、複数の駆動用コントローラ１３に順次接続され各駆動用コントローラ１３に対応する各遮蔽装置１２に関する情報を設定し取込む単一の設定取込み装置１８と、メインコントローラ１４に設けられ複数の駆動用コントローラ１３を介して駆動装置を制御するための情報が記憶されたメモリ１４ａとを更に備え、単一の設定取込み装置１８が設定し取込む情報が、複数の駆動用コントローラ１３にそれぞれ設定され複数の遮蔽装置１２の配置により異なるソフトウエア上の通信用識別番号と、複数の駆動用コントローラ１３から取込まれ複数の遮蔽装置１２にそれぞれ固有のソフトウエア上のシリアル番号とを含み、単一の設定取込み装置１８が、各駆動用コントローラ１３に通信用識別番号を設定しかつ各駆動用コントローラ１３からシリアル番号を取込み、これらの通信用識別番号及びシリアル番号を関連付けるとともに、これらの関連付けられた通信用識別番号及びシリアル番号の通信用識別番号リスト１９を作成し、この通信用識別番号リスト１９をメインコントローラ１４を介してメモリ１４ａに記憶するように構成されたことを特徴とする。
【００１２】
本発明の第２の観点は、第１の観点に基づく発明であって、更に図４〜図７に示すように、複数の遮蔽装置１２に新たに遮蔽装置１２が増設されるとき、設定取込み装置１８が、メモリ１４ａに記憶された増設前の通信用識別番号リスト１９を取込み、上記増設された遮蔽装置１２の駆動用コントローラ１３に通信用識別番号を設定しかつこの駆動用コントローラ１３からシリアル番号を取込むとともに、これらの通信用識別番号及びシリアル番号を関連付けて通信用識別番号リスト１９に追加し、この通信用識別番号リスト１９を更新してメモリ１４ａに記憶し、更にメインコントローラ１４が、上記更新された通信用識別番号リスト１９に基づいて各駆動用コントローラ１３の通信用識別番号を設定変更するように構成されたことを特徴とする。
【００１３】
本発明の第３の観点は、第１の観点に基づく発明であって、更に図８〜図１１に示すように、複数の遮蔽装置１２のうちのいずれかが撤去されるとき、設定取込み装置１８が、メモリ１４ａに記憶された増設前の通信用識別番号リスト１９を取込み、上記撤去された遮蔽装置１２の駆動用コントローラ１３に付与されていた通信用識別番号及びシリアル番号を通信用識別番号リスト１９から削除し、この通信用識別番号リスト１９を更新してメモリ１４ａに記憶し、更にメインコントローラ１４が、上記更新された通信用識別番号リスト１９に基づいて各駆動用コントローラ１３の通信用識別番号を設定変更するように構成されたことを特徴とする。
【００１４】
本発明の第４の観点は、第１ないし第３の観点のいずれかに係る発明であって、更に図１に示すように、設定取込み装置１８が複数の駆動用コントローラ１３及びメインコントローラ１４に個別に通信ケーブルで接続されることを特徴とする。
【００１５】
本発明の第５の観点は、第１ないし第３の観点のいずれかに係る発明であって、更に図１２及び図１３に示すように、設定取込み装置１８が複数の駆動用コントローラ１３及びメインコントローラに無線送受信器５１により接続されることを特徴とする。
【００１６】
本発明の第６の観点は、第１ないし第５の観点にいずれかに係る発明であって、更に図１に示すように、設定取込み装置１８がパソコン、スマートフォン又はタブレットのいずれかであることを特徴とする。
【発明の効果】
【００１７】
本発明の第１の観点の制御システムでは、単一の設定取込み装置が設定し取込む情報が、複数の遮蔽装置の配置により異なるソフトウエア上の通信用識別番号と、複数の遮蔽装置にそれぞれ固有のソフトウエア上のシリアル番号とを含み、単一の設定取込み装置が、各駆動用コントローラに通信用識別番号を設定しかつ各駆動用コントローラからシリアル番号を取込み、これらの通信用識別番号及びシリアル番号を関連付けるとともに、これらの関連付けられた通信用識別番号等の通信用識別番号リストを作成してメモリに記憶するので、各遮蔽装置にハードウエアスイッチを取付けなくて済み、これにより複数の遮蔽装置の駆動装置をそれぞれ個別に制御する複数の駆動用コントローラの通信用識別番号を容易に設定できる。この結果、複数の遮蔽装置を導入するとき、ハードウエアスイッチの設定に多くの工数を要する従来の可動閉鎖装置と比較して、本発明では、上記複数の駆動用コントローラの設定に要する工数を低減できるとともに、遮蔽装置の設定場所以外に立ち入る必要がなく、作業性を向上できる。
【００１８】
本発明の第２の観点の制御システムでは、複数の遮蔽装置に新たに遮蔽装置を増設するとき、設定取込み装置が、メモリに記憶された増設前の通信用識別番号リストをメインコントローラを介して取込み、増設された遮蔽装置の駆動用コントローラに通信用識別番号を設定しかつこの駆動用コントローラからシリアル番号を取込むとともに、これらの通信用識別番号等を関連付けて通信用識別番号リストに追加し、この通信用識別番号リストを更新してメモリに記憶し、更にメインコントローラが、上記更新された通信用識別番号リストに基づいて各駆動用コントローラの通信用識別番号を設定変更するので、各遮蔽装置にハードウエアスイッチを取付けなくて済み、これにより増設された遮蔽装置の駆動用コントローラを含む複数の駆動用コントローラの通信用識別番号を容易に設定変更できる。この結果、１又は２以上の遮蔽装置を増設するとき、ハードウエアスイッチの設定変更に多大の工数を要する従来の可動閉鎖装置と比較して、本発明では、上記複数の駆動用コントローラの通信用識別番号の設定変更に要する工数を低減できるとともに、遮蔽装置の増設場所以外に立ち入る必要がなく、作業性を向上できる。
【００１９】
本発明の第３の観点の制御システムでは、複数の遮蔽装置のうちのいずれかを撤去するとき、設定取込み装置が、メモリに記憶された増設前の通信用識別番号リストをメインコントローラを介して取込み、上記撤去された遮蔽装置の駆動用コントローラに付与されていた通信用識別番号等を通信用識別番号リストから削除し、この通信用識別番号リストを更新してメモリに記憶し、更にメインコントローラが、上記更新された通信用識別番号リストに基づいて各駆動用コントローラの通信用識別番号を設定変更するので、各遮蔽装置にハードウエアスイッチを取付けなくて済み、これにより撤去された遮蔽装置の駆動用コントローラを除く複数の駆動用コントローラの通信用識別番号を容易に設定変更できる。この結果、１又は２以上の遮蔽装置を撤去するとき、ハードウエアスイッチの設定変更に多大の工数を要する従来の可動閉鎖装置と比較して、本発明では、上記複数の駆動用コントローラの通信用識別番号の設定変更に要する工数を低減できるとともに、遮蔽装置の撤去場所以外に立ち入る必要がなく、作業性を向上できる。
【００２０】
本発明の第５の観点の制御システムでは、設定取込み装置を複数の駆動用コントローラ及びメインコントローラに無線送受信器により接続するので、設定取込み装置の駆動用コントローラ等への接続作業や、設定取込み装置の駆動用コントローラ等からの取外し作業が不要になる。この結果、複数の駆動用コントローラの通信用識別番号等を更に容易に設定又は設定変更でき、これらの設定又は設定変更に要する工数を更に低減できる。
【図面の簡単な説明】
【００２１】
【図１】本発明第１実施形態の電動日射遮蔽装置の制御システムにより各駆動用コントローラの通信用識別番号及びシリアル番号を設定し取込んで関連付けし通信用識別番号リストを作成している状態を示す構成図である。
【図２】パソコンをメインコントローラに接続して通信用識別番号リストをメモリに記憶している状態を示す構成図である。
【図３】各駆動用コントローラの通信用識別番号及びシリアル番号を設定し取込んで関連付けし更に通信用識別番号リストを作成してメモリに記憶する手順を示すフローチャート図である。
【図４】本発明第２実施形態のパソコンをメインコントローラに接続してメモリ内の通信用識別番号リストをパソコンに取込んでいる状態を示す構成図である。
【図５】増設された遮蔽装置の駆動用コントローラにパソコンを接続しこの駆動用コントローラに通信用識別番号を設定しかつこの駆動用コントローラからシリアル番号を取込むとともにこれらの通信用識別番号等を関連付けして通信用識別番号リストに追加している作業を行っている状態を示す構成図である。
【図６】メインコントローラにパソコンを接続し通信用識別番号リストを更新してメインコントローラに書込みメインコントローラがこの更新された通信用識別番号リストに基づいて各駆動用コントローラの通信用識別番号を設定変更している状態を示す構成図である。
【図７】増設された遮蔽装置の駆動用コントローラの通信用識別番号及びシリアル番号を設定しかつ取込むとともに関連付けて通信用識別番号リストに追加しこの通信用識別番号リストを更新してメモリに記憶し更にメインコントローラが上記更新された通信用識別番号リストに基づいて各駆動用コントローラの通信用識別番号を設定変更する手順を示すフローチャート図である。
【図８】本発明第３実施形態のパソコンをメインコントローラに接続してメモリ内の通信用識別番号リストをパソコンに取込んでいる状態を示す構成図である。
【図９】撤去された遮蔽装置の駆動用コントローラの通信用識別番号等を通信用識別番号リストから削除している状態を示す構成図である。
【図１０】メインコントローラにパソコンを接続し通信用識別番号リストを更新してメモリに記憶し更にメインコントローラが上記更新された通信用識別番号リストに基づいて各駆動用コントローラの通信用識別番号を設定変更している状態を示す構成図である。
【図１１】撤去された遮蔽装置の駆動用コントローラの通信用識別番号及びシリアル番号を通信用識別番号リストから削除しこの通信用識別番号リストを更新してメモリに記憶し更にメインコントローラが上記更新された通信用識別番号リストに基づいて各駆動用コントローラの通信用識別番号を変更する手順を示すフローチャート図である。
【図１２】本発明第４実施形態の電動日射遮蔽装置の制御システムにより各駆動用コントローラの通信用識別番号及びシリアル番号を設定し取込んで関連付けし通信用識別番号リストを作成している状態を示す構成図である。
【図１３】パソコンを駆動用コントローラにブルートゥース規格の無線送受信器により接続している状態を示す構成図である。
【発明を実施するための形態】
【００２２】
次に本発明を実施するための形態を図面に基づいて説明する。
【００２３】
＜第１の実施の形態＞
図１及び図２に示すように、電動日射遮蔽装置の制御システムは、日射遮蔽体１１が駆動装置により駆動されるように構成された複数の遮蔽装置１２と、各駆動装置に接続され各駆動装置をそれぞれ個別に制御する複数の駆動用コントローラ１３と、複数の駆動用コントローラ１３を介して複数の駆動装置を統括して制御する１又は２以上のメインコントローラ１４とを備える。複数の遮蔽装置１２は、この実施の形態では、１６基の電動ブラインドである。これらの電動ブラインド１２は、窓の上方の壁面又は天井に取付けられたヘッドボックス１６と、このヘッドボックス１６から垂下された一対のラダーコード（図示せず）と、一対のラダーコード１６にこれらの長手方向に所定の間隔をあけて水平方向に延びて支持された複数のスラット１１（日射遮蔽体）と、スラット１１を昇降させる昇降コードと、昇降コードの下端に水平方向に延びて設けられ自重により昇降コードに張力を付与するウエイト部材１７とをそれぞれ有する。
【００２４】
上記ヘッドボックス１６には、昇降コードを昇降駆動して複数のスラット１１を昇降するとともにラダーコードを昇降駆動して複数のスラット１１の傾斜角度を変更する図示しない電動モータ（駆動装置）が内蔵される。また複数の駆動用コントローラ１３は、この実施の形態では、１６台の電動ブラインド１２のヘッドボックス１６に１台ずつそれぞれ内蔵される。更にメインコントローラ１４は、この実施の形態では、１台であり、モニタを含む操作盤（図示せず）が室内に露出するように壁に埋め込まれる。ここで、駆動用コントローラ１３の入出力端子は室内に露出するようにヘッドボックス１６に内蔵され、この入出力端子は取外し可能なキャップ（図示せず）により封止される。またメインコントローラ１４の入出力端子は室内に露出するように壁に埋め込まれ、この入出力端子は取外し可能なキャップ（図示せず）により封止される。なお、メインコントローラ１４のモニタを含む操作盤を操作することにより、メインコントローラ１４が全ての駆動コントローラ１３を介して１６台の電動モータを同時に駆動し、全てのスラット１１を昇降又は角度変更できるように構成される。また、メインコントローラ１４のモニタを含む操作盤を操作することにより、メインコントローラ１４が１又は２以上駆動コントローラ１３を介して１又は２以上の電動モータのみを同時に駆動し、１又は２以上のスラット１１を昇降又は角度変更できるように構成される。
【００２５】
一方、１６台の駆動用コントローラ１３に単一の設定取込み装置１８が順次接続されるように構成される。この設定取込み装置１８は、この実施の形態では、入出力端子（図示せず）を有するパソコン（パーソナルコンピュータ）である。この実施の形態では、パソコン１８は１６台の駆動用コントローラ１３及び単一のメインコントローラ１４に個別に通信ケーブルにより接続される。そしてパソコン１８は各駆動用コントローラ１３に対応する各電動ブラインド１２に関する情報を設定し取込むように構成される。このパソコン１８が設定し取込む情報は、１６台の駆動用コントローラ１３にそれぞれ設定されこれらの電動ブラインド１２の配置により異なるソフトウエア上の通信用識別番号と、１６台の駆動用コントローラ１３から取込まれこれらの電動ブラインド１２にそれぞれ固有のソフトウエア上のシリアル番号とを含む。ここで、ソフトウエア上の通信用識別番号は、１６台の電動ブラインド１２について左端から右端に向って順に各駆動用コントローラ１３に設定されたアドレスであり、ソフトウエア上のシリアル番号は、１６台の電動ブラインド１２の製造時にそれぞれ割り当てられた製造番号に相当する番号である。更にメインコントローラ１４にはメモリ１４ａが設けられる。このメモリ１４ａには１６台の駆動用コントローラ１３を介して電動モータを制御するための情報が記憶される。そして上記パソコン１８は、各駆動用コントローラ１３に通信用識別番号を設定しかつ各駆動用コントローラ１３からシリアル番号を取込み、これらの通信用識別番号及びシリアル番号を関連付けるとともに、これらの関連付けられた通信用識別番号及びシリアル番号の通信用識別番号リスト１９を作成し、この通信用識別番号リスト１９をメインコントローラ１４を介してメモリ１４ａに記憶するように構成される。
【００２６】
このように構成された電動日射遮蔽装置の制御システムにより、１６台の電動ブラインド１２を初期導入するときの設定作業の手順を図３のフローチャート図に基づいて説明する。先ず１６台の電動ブラインド１２をビルディングの窓に一列に並べて取付ける。次いで単一のパソコン１８の入出力端子を通信ケーブルにより左端の電動ブラインドのヘッドレールに内蔵された駆動用コントローラ、即ち１番目の駆動用コントローラの入出力端子に接続する。そして１番目の駆動用コントローラに、この駆動用コントローラに対応する電動ブラインドの配置により異なるソフトウエア上の通信用識別番号（１）を設定し、１番目の駆動用コントローラからこの駆動用コントローラに対応する電動ブラインドに固有のソフトウエア上のシリアル番号（１２０９−０４３２）を取込むとともに、これらの通信用識別番号（１）とシリアル番号（１２０９−０４３２）とを関連付けて、パソコンの通信用識別番号リスト１９に登録する。次に上記パソコン１８の入出力端子を、１番目の駆動用コントローラから切り離した後に、左端から２番目の電動ブラインドのヘッドレールに内蔵された駆動用コントローラ、即ち２番目の駆動用コントローラの入出力端子に接続し、上記と同様にして、電動ブラインドの配置により異なるソフトウエア上の通信用識別番号（２）を設定し、電動ブラインドに固有のソフトウエア上のシリアル番号（１２０９−０４５３）を取込むとともに、これらの通信用識別番号（２）とシリアル番号（１２０９−０４５３）とを関連付けて、パソコン１８の通信用識別番号リスト１９に登録する。上記操作を３番目の駆動用コントローラから１６番目の駆動用コントローラまで順に行い、各駆動用コントローラ１３の通信用識別番号とシリアル番号とを関連付けて、パソコン１８の通信用識別番号リスト１９に登録する。
【００２７】
なお、図１には、１３番目の駆動用コントローラに対し、上記と同様にして、電動ブラインドの配置により異なるソフトウエア上の通信用識別番号（１３）を設定し、電動ブラインドに固有のソフトウエア上のシリアル番号（１２０９−０４７９）を取込むとともに、これらの通信用識別番号（１４）とシリアル番号（１２０９−０４７９）とを関連付けて、パソコン１８の通信用識別番号リスト１９に登録した後の操作手順が描かれている。具体的には、先ずパソコン１８の入出力端子を、１３番目の駆動用コントローラから切り離した後に、左端から１４番目の電動ブラインド１２のヘッドレール１６に内蔵された駆動用コントローラ１３、即ち１４番目の駆動用コントローラ１３の入出力端子に接続し、上記と同様にして、電動ブラインド１２の配置により異なるソフトウエア上の通信用識別番号（１４）を設定し、電動ブラインド１２に固有のソフトウエア上のシリアル番号（１２０９−０５０２）を取込むとともに、これらの通信用識別番号（１４）とシリアル番号（１２０９−０５０２）とを関連付けて、パソコン１８の通信用識別番号リスト１９に登録する。
【００２８】
次にパソコンの入出力端子を、１４番目の駆動用コントローラ１３から切り離した後に、左端から１５番目の電動ブラインド１２のヘッドレール１６に内蔵された駆動用コントローラ１３、即ち１５番目の駆動用コントローラ１３の入出力端子に接続し、上記と同様にして、電動ブラインド１２の配置により異なるソフトウエア上の通信用識別番号（１５）を設定し、電動ブラインド１２に固有のソフトウエア上のシリアル番号（１２０９−０４６１）を取込むとともに、これらの通信用識別番号（１５）とシリアル番号（１２０９−０４６１）とを関連付けて、パソコン１８の通信用識別番号リスト１９に登録する。更にパソコン１８の入出力端子を、１５番目の駆動用コントローラ１３から切り離した後に、左端から１６番目（右端）の電動ブラインド１２のヘッドレール１６に内蔵された駆動用コントローラ１３、即ち１６番目の駆動用コントローラ１３の入出力端子に接続し、上記と同様にして、電動ブラインド１２の配置により異なるソフトウエア上の通信用識別番号（１６）を設定し、電動ブラインド１２に固有のソフトウエア上のシリアル番号（１２０９−０４７５）を取込むとともに、これらの通信用識別番号（１６）とシリアル番号（１２０９−０４７５）とを関連付けて、パソコン１８の通信用識別番号リスト１９に登録する。
【００２９】
これにより１〜１６番の駆動用コントローラ１３についてそれぞれ関連付けられた通信用識別番号及びシリアル番号の通信用識別番号リスト１９が完成する。次にパソコン１８の入出力端子を、１６番目の駆動用コントローラ１３から切り離した後に、メインコントローラ１４の入出力端子に接続し、上記完成した通信用識別番号リスト１９をメインコントローラ１４を介してメモリ１４ａに記憶する（図２）。そして、念のため、メインコントローラ１４が、上記完成した通信用識別番号リスト１９に基づいて各駆動用コントローラ１３の通信用識別番号を設定する。このように、１６台の電動ブラインド１２の電動モータをそれぞれ個別に制御する１６台の駆動用コントローラ１３の通信用識別番号を容易に設定できる。この結果、１６台の電動ブラインド１２を導入するとき、ハードウエアスイッチの設定に多くの工数を要する従来の可動閉鎖装置と比較して、本実施の形態では、上記１６台の駆動用コントローラ１３の設定に要する工数を低減できるとともに、電動ブラインド１２の設置場所以外に立ち入る必要がなく、作業性を向上できる。
【００３０】
＜第２の実施の形態＞
図４〜図７は本発明の第２の実施の形態を示す。図４〜図６において図１及び図２と同一符号は同一部品を示す。この実施の形態では、１６台の電動ブラインド１２に新たに１台の電動ブラインド１２が増設されるときに、電動日射遮蔽装置の制御システムにより、各駆動用コントローラ１３の通信用識別番号が設定変更されるように構成される。具体的には、パソコン１８が、メモリ１４ａに記憶された増設前の通信用識別番号リスト１９を取込み、上記増設された電動ブラインド１２の駆動用コントローラ１３に通信用識別番号を設定しかつこの駆動用コントローラ１３からシリアル番号を取込むとともに、これらの通信用識別番号及びシリアル番号を関連付けて通信用識別番号リスト１９に追加し、この通信用識別番号リスト１９を更新してメモリ１４ａに記憶し、更にメインコントローラ１４が、上記更新された通信用識別番号リスト１９に基づいて各駆動用コントローラ１３の通信用識別番号を設定変更するように構成される。上記以外は第１の実施の形態と同一に構成される。
【００３１】
このように構成された電動日射遮蔽装置の制御システムにより、１６台の電動ブラインド１２に新たに１台の電動ブラインド１２が増設されるときの設定変更作業の手順を図７のフローチャート図に基づいて説明する。先ず左端から１４番目の電動ブラインド１２と１５番目の電動ブラインド１２の間に新たに１台の電動ブラインド１２を増設する。次いで単一のパソコン１８の入出力端子を、通信ケーブルによりメインコントローラ１４の入出力端子に接続し、メインコントローラ１４に設けられたメモリ１４ａに記憶された通信用識別番号リスト１９をパソコンに取込む（図４）。次に単一のパソコン１８の入出力端子を、メインコントローラ１４から切り離した後に、上記増設された電動ブラインド１２のヘッドレール１６に内蔵された駆動用コントローラ１３、即ち１５番目の駆動用コントローラ１３の入出力端子に接続する（図５）。そして１５目の駆動用コントローラ１３に対応する電動ブラインド１２に、この電動ブラインド１２の配置により異なるソフトウエア上の通信用識別番号（１５）を設定し、上記電動ブラインド１２に固有のソフトウエア上のシリアル番号（１２０９−０４６３）を取込むとともに、これらの通信用識別番号（１５）とシリアル番号（１２０９−０４６３）とを関連付けて、パソコン１８の通信用識別番号リスト１９に追加し、この通信用識別番号リスト１９を更新する。これにより左から１６番目の電動ブラインド１２のヘッドボックス１６に内蔵された駆動用コントローラ１３の通信用識別番号が（１５）から（１６）に変更されて通信用識別番号（１６）とシリアル番号（１２０９−０４６１）とが関連付けされ、左から１７番目（右端）の電動ブラインド１２のヘッドボックス１６に内蔵された駆動用コントローラ１３の通信用識別番号が（１６）から（１７）に変更されて通信用識別番号（１７）とシリアル番号（１２０９−０４７５）とが関連付けされる（図６）。
【００３２】
更に上記パソコン１８の入出力端子を、上記増設された電動ブラインド１２の駆動用コントローラ１３から切り離した後に、メインコントローラ１４の入出力端子に接続し、上記変更された通信用識別番号リスト１９をメインコントローラ１４を介してメモリ１４ａに記憶する（図６）。そして、メインコントローラ１４が、上記変更された通信用識別番号リスト１９に基づいて各駆動用コントローラ１３の通信用識別番号を設定変更する。このように増設された電動ブラインド１２の駆動用コントローラ１３を含む１７台の駆動用コントローラ１３の通信用識別番号を容易に設定変更できる。この結果、１台の電動ブラインド１２を増設するとき、ハードウエアスイッチの設定変更に多大の工数を要する従来の可動閉鎖装置と比較して、本実施の形態では、上記１７台の駆動用コントローラ１３の通信用識別番号の設定変更に要する工数を低減できるとともに、電動ブラインド１２の増設場所以外に立ち入る必要がなく、作業性を向上できる。
【００３３】
＜第３の実施の形態＞
図８〜図１１は本発明の第３の実施の形態を示す。図８〜図１０において図１及び図２と同一符号は同一部品を示す。この実施の形態では、１６台の電動ブラインド１２から１台の電動ブラインド１２が撤去されるときに、電動日射遮蔽装置の制御システムにより、各駆動用コントローラ１３の通信用識別番号が設定変更されるように構成される。具体的には、パソコン１８が、メモリ１４ａに記憶された増設前の通信用識別番号リスト１９を取込み、上記撤去された電動ブラインド１２の駆動用コントローラ１３に付与されていた通信用識別番号及びシリアル番号を通信用識別番号リスト１９から削除し、この通信用識別番号リスト１９を更新してメモリ１４ａに記憶し、更にメインコントローラ１４が、上記更新された通信用識別番号リスト１９に基づいて各駆動用コントローラ１３の通信用識別番号を設定変更するように構成される。上記以外は第１の実施の形態と同一に構成される。
【００３４】
このように構成された電動日射遮蔽装置の制御システムにより、１６台の電動ブラインド１２から１台の電動ブラインド１２が撤去されるときの設定変更作業の手順を図１１のフローチャート図に基づいて説明する。先ず左端から１４番目の電動ブラインド１２を撤去する。次いで単一のパソコン１８の入出力端子を、通信ケーブルによりメインコントローラ１４の入出力端子に接続し、メインコントローラ１４に設けられたメモリ１４ａに記憶された通信用識別番号リスト１９をパソコン１８に取込む（図８）。次に上記撤去された電動ブラインド１２のヘッドレール１６に内蔵された駆動用コントローラ１３、即ち１４番目の駆動用コントローラ１３に付与されていたソフトウエア上の通信用識別番号（１４）とソフトウエア上のシリアル番号（１２０９−０５０２）を、パソコン１８の通信用識別番号リスト１９から削除し（図９）、この通信用識別番号リスト１９を更新する。これにより左から１４番目の電動ブラインド１２のヘッドボックス１６に内蔵された駆動用コントローラ１３の通信用識別番号が（１５）から（１４）に変更されて通信用識別番号（１４）とシリアル番号（１２０９−０４６１）とが関連付けされ、左から１５番目（右端）の電動ブラインド１２のヘッドボックス１６に内蔵された駆動用コントローラ１３の通信用識別番号が（１６）から（１５）に変更されて通信用識別番号（１５）とシリアル番号（１２０９−０４７５）とが関連付けされる（図１０）。
【００３５】
更に上記変更された通信用識別番号リスト１９をメインコントローラ１４を介してメモリ１４ａに記憶する。そして、メインコントローラ１４が、上記変更された通信用識別番号リスト１９に基づいて各駆動用コントローラ１３の通信用識別番号を設定変更する。このように撤去された電動ブラインド１２の駆動用コントローラ１３を除く１５台の駆動用コントローラ１３の通信用識別番号を容易に設定変更できる。この結果、１台の電動ブラインド１２を撤去するとき、ハードウエアスイッチの設定変更に多大の工数を要する従来の可動閉鎖装置と比較して、本実施の形態では、上記１５台の駆動用コントローラ１３の通信用識別番号の設定変更に要する工数を低減できるとともに、電動ブラインド１２の撤去場所以外に立ち入る必要がなく、作業性を向上できる。
【００３６】
＜第４の実施の形態＞
図１２及び図１３は本発明の第４の実施の形態を示す。図１２において図１と同一符号は同一部品を示す。この実施の形態では、パソコン１８が１６台の駆動用コントローラ１３及び単一のメインコントローラにブルートゥース規格の無線送受信器５１により接続される。具体的には、単一のパソコン１８の入出力端子、各駆動用コントローラ１３の入出力端子及び単一のメインコントローラの入出力端子には、無線送受信器５１がそれぞれ接続される（図１２）。この無線送受信器５１は、ＲＳ−４８５用通信ケーブル５１ａ、２３２Ｃ−４８５変換器５１ｂ、ＲＳ−２３２Ｃ用通信ケーブル５１ｃ及びブルートゥース端末器５１ｄにより構成される（図１３）。上記以外は第１の実施の形態と同一に構成される。
【００３７】
このように構成された電動日射遮蔽装置の制御システムでは、パソコン１８を１６台の駆動用コントローラ１３及び単一のメインコントローラにブルートゥース規格の無線送受信器５１により接続するので、パソコン１８の駆動用コントローラ１３等への接続作業や、パソコン１８の駆動用コントローラ１３等からの取外し作業が不要になる。この結果、１６台の駆動用コントローラ１３の通信用識別番号を第１〜第３の実施の形態より更に容易に設定又は設定変更でき、これらの設定又は設定変更に要する工数を更に低減できる。上記以外の動作は、第１〜第３の実施の形態の動作と略同様であるので、繰返しの説明を省略する。なお、この実施の形態では、無線規格としてブルートゥース規格を用いたが、この規格に限定されない。
【００３８】
なお、上記第１〜第４の実施の形態では、遮蔽装置として複数のスラットを有する電動ブラインドを挙げ、駆動装置として複数のスラットを昇降するとともにスラットの傾斜角度を変更する電動モータを挙げたが、遮蔽装置が、スクリーン本体を有する電動ロールスクリーン、電動プリーツスクリーン、電動キャノピー（canopy）又は電動オーニング（awning）であるか、シャッタ本体を有する電動シャッタであるか、シート本体を有する電動シートであるか、或いはネット本体を有する電動ネットであり、駆動装置が、スクリーン本体、シャッタ本体、シート本体、或いはネット本体を昇降する電動モータであってもよい。また、上記第１〜第４の実施の形態における遮蔽装置及び駆動用コントローラの台数は例示であって、これらの台数に限定されるものではない。また、上記第１〜第４の実施の形態では、メインコントローラの台数を１台としたが、遮蔽装置より少ない台数であれば２台以上でもよい。更に、上記第１〜第４の実施の形態では、設定取込み装置としてパソコンを挙げたが、設定取込み装置としてスマートフォン、タブレット等を用いてもよい。
【符号の説明】
【００３９】
１１  スラット（日射遮蔽体）
１２  電動ブラインド（遮蔽装置）
１３  駆動用コントローラ
１４  メインコントローラ
１４ａ  メモリ
１８  パソコン（設定取込み装置）
１９  通信用識別番号リスト
５１  無線送受信器
【図１】
2014214419.tif 000003
【図２】
2014214419.tif 000004
【図３】
2014214419.tif 000005
【図４】
2014214419.tif 000006
【図５】
2014214419.tif 000007
【図６】
2014214419.tif 000008
【図７】
2014214419.tif 000009
【図８】
2014214419.tif 000010
【図９】
2014214419.tif 000011
【図１０】
2014214419.tif 000012
【図１１】
2014214419.tif 000013
【図１２】
2014214419.tif 000014
【図１３】
2014214419.tif 000015